(57)【要約】【課題】  他の物品の収納および取り出しを阻害せずに小物の収納スペースを拡大し、しかも小物の取り出しを容易とする流し台を提供すること。【解決手段】  上部にシンク１を備え、シンクの下方に前後に移動可能で、前板３の上端部がシンクの前方に位置する引出し２が配設され、引出しの前板の裏面上部に収納箱４が配設され、収納箱は下端部に回動軸６を備え、この回動軸を中心として前後に回動し、収納箱を開閉する蓋５が配設され、蓋による収納箱の開閉が引出しの出し入れ操作に連動している。【選択図】図１
2006296767.tif 000002
【特許請求の範囲】
【請求項１】
上部にシンクを備え、シンクの下方に前後に移動可能で、前板上端部がシンクの前方に位置する引出しが配設された流し台であって、引出しの前板の裏面上部またはカウンターの下部に収納箱が配設され、収納箱は下端部に回動軸を備え、この回動軸を中心として前後に回動し、収納箱を開閉する蓋が配設され、蓋による収納箱の開閉が引出しの出し入れ操作に連動していることを特徴とする流し台。
【請求項２】
引出しの前板の裏面上部が板厚方向に切り欠かれ、凹所が形成され、凹所内に収納箱の一部が埋設されている請求項１記載の流し台。
【請求項３】
引出しの前板の裏面上部が板厚方向に切り欠かれ、凹所が形成され、凹所が蓋の受けとなっている請求項１記載の流し台。
【発明の詳細な説明】
【技術分野】
【０００１】
本願発明は流し台に関する。
【背景技術】
【０００２】
上部にシンクを備え、シンクの下方に前後に移動する引出しが設けられた流し台が知られている（たとえば、特許文献１参照）。
【０００３】
シンクでの作業には様々な小物が使用される。このため、編みカゴ等を設け、小物の収納が可能となるように工夫されている。
【特許文献１】特許第３４７３３０７号
【発明の開示】
【発明が解決しようとする課題】
【０００４】
しかしながら、これまでに提供されている流し台における小物の収納スペースは決して十分であるとはいえず、収納スペースの拡大が望まれる。また、小物収納については、単に収納スペースがあればよいというのではなく、他の物品の収納および取り出しを阻害しないこと、そして取り出しやすさを考慮する必要がある。
【０００５】
本願発明は、このような事情に鑑みてなされたものであり、他の物品の収納および取り出しを阻害せずに小物の収納スペースを拡大し、しかも小物の取り出しを容易とする流し台を提供することを課題としている。
【課題を解決するための手段】
【０００６】
本願発明は、上記の課題を解決するために、第１には、上部にシンクを備え、シンクの下方に前後に移動可能で、前板上端部がシンクの前方に位置する引出しが配設された流し台であって、引出しの前板の裏面上部またはカウンターの下部に収納箱が配設され、収納箱は下端部に回動軸を備え、この回動軸を中心として前後に回動し、収納箱を開閉する蓋が配設され、蓋による収納箱の開閉が引出しの出し入れ操作に連動していることを特徴としている。
【０００７】
本願発明は、第２には、引出しの前板の裏面上部が板厚方向に切り欠かれ、凹所が形成され、凹所内に収納箱の一部が埋設されていることを特徴としている。
【０００８】
本願発明は、第３には、引出しの前板の裏面上部が板厚方向に切り欠かれ、凹所が形成され、凹所が蓋の受けとなっていることを特徴としている。
【発明の効果】
【０００９】
本願の第１の発明によれば、従来デッドスペースとなっていたシンク前方の領域を小物収納に利用することができ、他の物品の収納および取り出しを阻害せず、小物の収納スペースを拡大することができる。収納スペースはシンク前方に位置するため、シンクでの作業に際して小物は取り出しやすい。また、収納箱の開閉が引出しの出し入れに連動しているため、収納箱の開閉操作が楽であり、使い勝手がよい。
【００１０】
本願の第２および第３の発明によれば、収納箱の容量を拡大することができ、収納スペースをより拡大することができる。
【発明を実施するための最良の形態】
【００１１】
図１は、本願発明の流し台の一実施形態を示した断面図である。
【００１２】
流し台は、上部にシンク１を備え、シンク１の下方に前後に移動可能な引出し２を備えている。引出し２の前部には前板３が設けられ、前板３の上端部はシンク１の前方に位置し、引出し２は深めのものとなっている。引出し２の前板３の裏面上部には、小物の収納を可能とした収納箱４が配設されている。収納箱４は蓋５により開閉されるようになっている。すなわち、収納箱４の下端部に回動軸６が配設され、蓋５は、回動軸６を回動の中心として前後に回動可能となっており、蓋５が前後に回動することにより収納箱４は開閉される。
【００１３】
収納箱４および蓋５は、たとえば図２に例示される。
【００１４】
図２に示した収納箱４は有底で、上部および後部が解放されている。左右両側にフランジ７を有し、このフランジ７を図１に示した引出し２の前板３の裏面に当接させ、ビスをねじ込むことにより収納箱４は引出し２に固定可能となっている。蓋５は、収納箱４の解放された上部、後部にそれぞれ対応して上蓋部５１、後蓋部５２を備えており、上蓋部５１および後蓋部５２は互いに直交している。また、蓋５は左右両側に支持部５３を備え、支持部５３は上蓋部５１および後蓋部５２に結合している。支持部５３の下端部が収納箱４の下端部に設けられた回動軸６に連結され、蓋５は、回動軸６を回動の中心として前後に回動する。
【００１５】
収納箱４および蓋５については図２に示したものに限られることはなく、蓋５の回動により収納箱４が開閉することができるものであればよい。たとえば、収納箱４は上部のみが解放し、蓋５は後蓋部５２のないものとするなど、適宜な構成および構造を採用することができる。
【００１６】
図１に示した流し台では、蓋５による収納箱４の開閉を引出し２の出し入れに連動させている。具体的には、引出し２を引き出すことにより蓋５が後方に回動して収納箱４が開き、引出し２を押し入れることにより蓋５がシンク１の前面に接触し、引出し２の押し込みにつれて前方へ回動して収納箱４が閉まるようになっている。蓋５の後方への回動は、ねじりコイルバネ等により蓋５を後方に付勢し、蓋５を後方に回動させるモーメントを与えることによって自動化している。
【００１７】
図１に示した流し台は、従来デッドスペースとなっていたシンク１の前方の領域を小物収納に利用しており、他の物品の収納および取り出しを阻害せずに小物の収納スペースを拡大している。収納スペースはシンク１の前方であるため、シンク１での作業に際して小物は取り出しやすくなっている。収納箱４の真上から手を差し込み、小物を取り出すことができる。また、蓋５による収納箱４の開閉が引出し２の出し入れに連動しているため、収納箱４の開閉操作が楽であり、使い勝手がよい。収納箱４の開閉に人手を要しない。
【００１８】
図３は、本願発明の流し台の別の実施形態を示した断面図である。
【００１９】
図３に示した流し台では、収納箱４が流し台の上面部を形成するカウンター８の下部に配設されている。この場合、収納箱４は前部が解放した箱体とすることができ、上部をカウンター８の下面に当接させ、ビスにより固定することができる。蓋５は、収納箱４の前部に対応して前蓋部を有し、上部および後部が解放したものとすることができる。
【００２０】
また、蓋５は、収納箱４の下端部に設けた回動軸６を回動の中心として前後に回動可能としているが、図３に示した流し台では、図１に示した流し台と異なり、蓋５は前方に回動することにより収納箱４が開き、後方に回動することにより収納箱４が閉まるようになっている。一方、蓋５による収納箱４の開閉は引出し２の出し入れに連動している。すなわち、引出し２を引き出すと、引出し２の前板３との接触が断たれるため、蓋５は前方へ回動し、引出し２を押し入れるときに前板３が蓋５に接触し、引出し２の押し込みにつれて蓋５が後方へ回動して収納箱４が閉まるようになっている。蓋５の前方への回動は、ねじりコイルバネを設けるなどして蓋５を前方に付勢し、蓋５を前方に回動させるモーメントを与えることにより自動化している。
【００２１】
図３に示した流し台も、従来デッドスペースとなっていたシンク１の前方の領域を小物収納に利用しており、他の物品の収納および取り出しを阻害せずに小物の収納スペースを拡大している。収納スペースはシンク１の前方であるため、シンク１での作業に際して小物は取り出しやすくなっている。収納箱４に前方から斜め下方に手を差し込んで小物を取り出すことができる。また、蓋５による収納箱４の開閉が引出し２の出し入れに連動しているため、収納箱４の開閉操作が楽であり、使い勝手がよい。収納箱４の開閉に人手を要しない。
【００２２】
図４は、本願発明の流し台の別の実施形態を示した断面図である。
【００２３】
図４に示した流し台は、図１に示した流し台をベースにし、引出し２の前板３の構成に変更を加えている。
【００２４】
すなわち、前板３の裏面上部を前板３の板厚方向に切り欠き、凹所９を設け、この凹所９に収納箱４の一部を埋設している。このように、引出し２の前板３に凹所９を設けることによって収納箱４の厚みを拡大することができ、収納箱４の収納量が拡大される。図４に示した流し台では、小物の収納スペースがさらに拡大されている。その他の構成は図１に示した流し台と同様であり、図４に示した流し台は、図１に示した流し台と同様な効果を奏する。
【００２５】
図５は、本願発明の流し台の別の実施形態を示した断面図である。
【００２６】
図５に示した流し台は、図３に示した流し台をベースにし、図４に示した流し台と同様に、引出し２の前板３の裏面上部を前板３の板厚方向に切り欠き、凹所９を設けている。凹所９は、引出し２を完全に押し入れたときの蓋５の受けとして機能する。したがって、蓋５の厚みを図３に示した流し台の蓋５の厚みよりも拡大することができ、このことは、収納箱４の厚みを拡大することにつながる。収納箱４の収納量が拡大される。このように、図５に示した流し台では、小物の収納スペースがさらに拡大されている。その他の構成は図３に示した流し台と同様であり、図５に示した流し台は、図３に示した流し台と同様な効果を奏する。
【図面の簡単な説明】
【００２７】
【図１】本願発明の流し台の一実施形態を示した断面図である。
【図２】収納箱および蓋の一例を示した斜視図である。
【図３】本願発明の流し台の別の実施形態を示した断面図である。
【図４】本願発明の流し台の別の実施形態を示した断面図である。
【図５】本願発明の流し台の別の実施形態を示した断面図である。
【符号の説明】
【００２８】
１    シンク
２    引出し
３    前板
４    収納箱
５    蓋
５１    上蓋部
５２    後蓋部
５３    支持部
６    回動軸
７    フランジ
８    カウンター
９    凹所
【図１】
2006296767.tif 000003
【図２】
2006296767.tif 000004
【図３】
2006296767.tif 000005
【図４】
2006296767.tif 000006
【図５】
2006296767.tif 000007